(57)【要約】【課題】上ケースの揺動開閉のための大きな空間を要することなく、ＣＤの装脱が行える引出し式のＣＤ収容ケースを、複雑で高価な押釦装置を必要とせず、しかも、板状体の収容状態を安定維持できる信頼性に優れるものとして提供する。【解決手段】ＣＤ１の載置保持が自在な内ケース２と、この内ケース２をスライドさせての挿入及び取出しが自在な外ケース３とから成るＣＤ収容ケースＡにおいて、内ケース２を、これが外ケース３に挿入して収容された格納状態から取出し方向に突出付勢する弾発機構６と、弾発機構６の付勢力に抗して内ケース２を格納状態に係止維持させる係止機構４と、係止機構４の係止作用を解除自在な取出し操作部１３とを有するとともに、係止機構４は、内ケース２の外ケース３への挿入操作に伴って係止作動するものに構成される。【選択図】図２
2005219803.tif 000002
【特許請求の範囲】
【請求項１】
板状体の載置保持が自在な内ケースと、この内ケースをスライドさせての挿入及び取出しが自在な外ケースとから成る板状体収容ケースであって、
前記内ケースを、これが前記外ケースに挿入して収容された格納状態から取出し方向に突出付勢する弾発機構と、この弾発機構の付勢力に抗して前記内ケースを前記格納状態に係止維持させる係止機構と、この係止機構の係止作用を解除自在な取出し操作部とを有するとともに、前記係止機構は、前記内ケースの前記外ケースへの挿入操作に伴って係止作動するものに構成されている板状体収容ケース。
【請求項２】
請求項１に記載の板状体収容ケースであって、
前記弾発機構が、前記内ケースの幅方向に延びる状態で前記内ケースと前記外ケースとの間に介装された板バネから構成され、前記板バネは、その中央部が前記内ケースに固定され、かつ、両端部が前記外ケースの内奥壁に当接される略二股状のものに形成されている板状体収容ケース。
【請求項３】
請求項１に記載の板状体収容ケースであって、
前記弾発機構が、前記内ケースと前記外ケースとの間に、前記内ケースのスライド方向に向く状態で介装された左右一対の巻きバネから構成されている板状体収容ケース。
【請求項４】
請求項２又は３に記載の板状体収容ケースであって、
前記係止機構が、前記内ケースにおける左右方向で中央に配置されている板状体収容ケース。
【請求項５】
請求項１〜４のいずれか一項に記載の板状体収容ケースであって、
前記内ケースと前記外ケースとがスライドするための摺動部に転がり軸受が介装されている板状体収容ケース。
【請求項６】
請求項５に記載の板状体収容ケースであって、
前記転がり軸受が複数のボールで構成されている板状体収容ケース。
【発明の詳細な説明】
【技術分野】
【０００１】
本発明は、ＣＤ（コンパクトディスク）や、ＤＶＤ（デジタルビデオディスク）、ＣＤ−Ｒ等の板状体を収容して保管するための板状体収容ケースに関するものである。
【背景技術】
【０００２】
例えば、板状体収容ケースの一例であるＣＤケースとしては、ＣＤが載置保持される下部ケースの一端に、この下部ケースの蓋となるように被さる上ケースが枢支連結されて成る揺動開閉式のものが一般的であった（例えば、特許文献１を参照）。また、ＣＤの載置保持が自在な内ケースと、この内ケースをスライドさせての挿入及び取出しが自在な外ケースとから成る引出し式のものもあった（特許文献２を参照）。
【特許文献１】特開２００３−０５４６７４号公報
【特許文献２】特開２００２−２２５９６７号公報
【発明の開示】
【発明が解決しようとする課題】
【０００３】
前記前者の従来技術では、ＣＤをケースの収容するとき、並びにケースから取出すときには、上ケースを揺動させて開くので、そのための大きな空間が側方に必要になり、狭い場所ではＣＤが取出せない等、場所によってはＣＤの装脱に制限を生じる不都合があった。また、ＣＤを取りだすべく、下ケースを上ケースから開く操作には両手を使わねばならないという面倒さもあった。
【０００４】
前記後者の従来技術では、スライドによってインナーケースをアウターケースから引き出す構造としてあるので、前記前者の従来技術と比べた場合に、大きな側方の空間を必要とすることなくＣＤの装脱が行える利点を有している。このものでは、インナーケースをアウターケースに収容させるべく押し込み操作したときには引き込み作動し、もう一度インナーケースを押し込み操作すると、それによってインナーケースを突出付勢するよう、プッシュプッシュ機構を備えた押釦装置が装備されている。
【０００５】
その押釦装置により、アウターケースに収容されているインナーケースを手指でさらに押し込むワンタッチ操作（片手操作）のみで、インナーケースをアウターケースから突出移動させることができる便利さがある。しかしながら、そのためには比較的複雑な構造でコスト高となる押釦装置（公知技術）が必要となる不利がある。
【０００６】
加えて、その押釦装置の特性を活かすには、板バネの押圧力による摩擦力によってインナーケースを収容状態に保持させるものであったため、ショックが作用したりするとインナーケースの不測の飛び出しが生じるおそれがあり、ＣＤを安定して収容維持する信頼性の点では難点があった。
【０００７】
そこで、本発明は、上ケースの揺動開閉のための大きな空間を要することなく、ＣＤ等の板状体の装脱が行える引出し式（スライド式）の収容ケースを開発するに当り、複雑で高価な押釦装置を設けることがなく、しかも、板状体の収容状態を安定維持できる信頼性にも優れる板状体収容ケースを提供することを目的とする。
【課題を解決するための手段】
【０００８】
請求項１の構成は、板状体の載置保持が自在な内ケースと、この内ケースをスライドさせての挿入及び取出しが自在な外ケースとから成る板状体収容ケースにおいて、
前記内ケースを、これが前記外ケースに挿入して収容された格納状態から取出し方向に突出付勢する弾発機構と、この弾発機構の付勢力に抗して前記内ケースを前記格納状態に係止維持させる係止機構と、この係止機構の係止作用を解除自在な取出し操作部とを有するとともに、前記係止機構は、前記内ケースの前記外ケースへの挿入操作に伴って係止作動するものに構成されていることを特徴とする。
【０００９】
請求項２の構成は、請求項１に記載の板状体収容ケースにおいて、
前記弾発機構が、前記内ケースの幅方向に延びる状態で前記内ケースと前記外ケースとの間に介装された板バネから構成され、前記板バネは、その中央部が前記内ケースに固定され、かつ、両端部が前記外ケースの内奥壁に当接される略二股状のものに形成されていることを特徴とする。
【００１０】
請求項３の構成は、請求項１に記載の板状体収容ケースにおいて、
前記弾発機構が、前記内ケースと前記外ケースとの間に、前記内ケースのスライド方向に向く状態で介装された左右一対の巻きバネから構成されていることを特徴とする。
【００１１】
請求項４の構成は、請求項２又は３に記載の板状体収容ケースにおいて、
前記係止機構が、前記内ケースにおける左右方向で中央に配置されていることを特徴とする。
【００１２】
請求項５の構成は、請求項１〜４のいずれか一項に記載の板状体収容ケースにおいて、
前記内ケースと前記外ケースとがスライドするための摺動部に転がり軸受が介装されていることを特徴とする。
【００１３】
請求項６の構成は、請求項５に記載の板状体収容ケースにおいて、
前記転がり軸受が複数のボールで構成されていることを特徴とする。
【発明の効果】
【００１４】
請求項１の構成によれば、内ケースを外ケースに対して突出付勢する弾発機構の付勢力に抗して作用する係止機構を設けてあるので、内ケースを押込む不測の外力が作用するとか、多少のショックが作用したりすることがあっても、内ケースの収容状態を確実に維持でき、板状体を安定して格納できるという信頼性に富むものとなる。板状体を取出すべく内ケースを外ケースから突出させるには、取出し操作部を一方の手の指で押すだけの簡単な操作で良く、この点においても操作性に優れ、かつ、便利である。
【００１５】
その結果、上ケースの揺動開閉のための大きな空間を要するとか、複雑で高価な押釦装置を設けるということがなく、しかも、板状体の収容状態を安定維持できる信頼性にも優れる状態で、ＣＤ等の板状体の装脱が行える引出し式（スライド式）の板状体収容ケースを提供することができた。
【００１６】
請求項２の構成によれば、弾発機構を、略二股状の板バネで構成してあるので、請求項４のように、左右中央部に係止機構を配置することや、それの解除機構となる取出し操作部を配置することが可能であり、これらの各機構類をコンパクトにまとめて装備でき、弾いてはケース全体の大きさの小型化が可能になる。また、板バネは、巻バネに比べて廉価となる利点があり、例えば、合成樹脂材製の板バネとすれば、耐久性に優れ、繰り返しの使用にも安定したバネ特性が発揮可能となる利点が得られる。
【００１７】
請求項３の構成によれば、弾発機構を左右一対の巻きバネで構成してあるので、請求項４のように、左右中央部に係止機構を配置することや、それの解除機構となる取出し操作部を配置することが可能であり、これらの各機構類をコンパクトにまとめて装備でき、弾いてはケース全体の大きさの小型化が可能になる。巻きバネを設ける場合、左右方向の配置スペースは極めて狭くて済むから、小型の板状体収容ケースであっても無理なく採用できる利点がある。
【００１８】
請求項５の構成によれば、転がり軸受の採用により、内ケースと外ケースとのスライド移動がより軽快に行われるようになり、種々の長所を有するスライド構造の板状体収容ケースの使い勝手がさらに向上するようになる。例えば、請求項６のように、複数のボールを用いることにより、廉価で場所も取らない転がり軸受を実現可能である。
【発明を実施するための最良の形態】
【００１９】
以下、本発明による板状体収容ケースの実施携帯を、その一例である音楽用のＣＤケースの場合について、図面に基づいて説明する。図においては、図１〜図８、及び図１５は実施例１によるＣＤケースを、図９〜図１４、図１６、及び図１７は実施例２によるＣＤケースを夫々示している。
【実施例１】
【００２０】
実施例１によるＣＤケースＡは、図１、図２に示すように、板状体の一例であるＣＤ（コンパクトディスク）１の載置保持が自在な合成樹脂材製の内ケース２と、この内ケース２をスライドさせての挿入及び取出しが自在な合成樹脂材製の外ケース３とから構成されている。つまり、このＣＤケースＡは、扁平で無蓋状の内ケース２を、一つの側壁のみが欠如された扁平な箱状の外ケース３にスライドによって出し入れさせる引出し構造のものに構成されている。
【００２１】
まず、このＣＤケースＡを用いたＣＤ１のケースへの収容操作と、ケースからの取出し操作について説明する。ＣＤ１を収容するには、外ケース３から最大限引き出された状態（図２参照）にある内ケース２の載置部２ＡにＣＤ１を載置し、そのＣＤ１が載置された内ケース２を、外ケース３の内奥方向に押込み操作すれば、係止機構４が作動して（図７や図５を参照）、その収容状態が保持される（図１参照）。
【００２２】
ＣＤ収容ケースＡに収容されているＣＤ１を取出すには、外ケース３の後端部の取出し操作部１３を押込んで揺動操作（図６参照）すれば、係止機構４が解除され、それによって作動する弾発機構６により、内ケース２が押し出され、ある程度外ケース３から飛出した状態がもたらされる［図４（ｂ）参照］。従って、手指でその突出した内ケース２の前端部を持って外ケース３から突出限界までスライドさせて引きずり出して取出し状態（図２参照）とし、内ケース２からＣＤ１を取出し自在な状態とするのである。次に、各部について詳細に説明する。
【００２３】
内ケース２は、図２〜図４に示すように、平面視がやや縦長（スライド方向に長い）の矩形で厚みが薄い略受け皿形状のものであり、ＣＤ１を落し込み載置するために、平面視が略円形で下方に凹入した載置部２Ａが形成されている。載置部２Ａの中央には、ＣＤ１の中央孔１ａに無理入れ及び抜出しが自在なすり割り状の保持突起７が形成されている。そして、左右の側端部における前後中央には、ＣＤ１を手指で掴み易くするための湾曲した切欠き部８が形成され、前部の上面側には、内側がＣＤ１の外周に沿うように湾曲し、かつ、一段高くなった隆起部９が形成されている。
【００２４】
内ケース２の後壁部には、その底面側に固定される略二股形状の板バネ（弾発機構の一例）１０が装備されるとともに、左右中央に位置して後方（外ケース３の内奥方）に突出する係止突片１１が形成されている。板バネ１０は、その左右中央に形成された矩形の取付部（中央部の一例）１０ａと、この取付部１０ａから左右に伸びる一対の湾曲したバネ作用部（両端部の一例）１０ｂと、を有したポリアセタール材製で略二股状のものに形成されている。板バネ１０は、内ケース２の裏面側に形成された後リブ２ａと挟持リブ２ｂとの間に取付部１０ａを嵌め入れることにより、内ケース２の後部底面側に固定されている。尚、取付部１０ａを圧入するとか、接着剤を用いて接着する構造でも良い。
【００２５】
要するに、内ケース２を、これが外ケース３に挿入された収容状態から取出し方向に突出付勢する板バネ１０と、この板バネ１０の付勢力に抗して内ケース２を収容状態に係止維持させる係止機構４と、この係止機構４の係止作用を解除自在な取出し操作部１３とを有するとともに、板バネ１０が、内ケース２の幅方向に延びる状態で内ケース２と外ケース３との間に介装されている。また、内ケース２の裏面側には、左右の横側部と前側部に亘る略コ字状の縁リブ２ｃが形成されており、内ケース２のスライド時には、その縁リブ２ｃが外ケース３の底壁３ａの内面とが主に摺接する（後リブ２ａと挟持リブ２ｂも底壁３ａと摺接する）。
【００２６】
係止突片１１は、図４（ａ）及び図５〜図７に示すように、内ケース２における取付部１０ａを固定する部分から後方に突出され、帯状部分１１ａと、これの先端において下方に突出する鉤状部１１ｂと、を有した側面視で引掛けフック形状のものとして内ケース２に一体形成されている。この係止突片１１は、内ケース２の外ケース３への挿入操作に伴って、先端の鉤状部１１ｂが外ケース３の底壁内側に一体形成された上方突起１２を乗り越えてから引掛り係合するように形成されており、それによって内ケース２の外ケース３への収容状態を係止維持できるようになっている。尚、図４（ａ）は、係止機構４の構造が理解し易いように、上部ケース部３Ｂを外した状態として描いてある。
【００２７】
外ケース３は、図１、図２、図４に示すように、内ケース２をスライド自在に載せる底壁３ａと左右の横側壁３ｂと後側壁部３ｃとを有した下部ケース部３Ａと、上壁３ｄと左右の横側壁部３ｅと後側壁３ｆとを有した上部ケース部３Ｂとを、側壁部で着脱自在に連結して成るものであり、一つの側壁が開放された箱状のものに構成されている。図８に示すように、上部ケース部３Ｂの各側壁部３ｅ，３ｆには、下向き状のフック部１４が複数箇所ずつ形成され、下部ケース部３Ａの各側壁部３ｂ，３ｃには、フック部１４に係合する係合凹部１５（係合バー部１５ａ）が形成されており、これら各フック部１４と各係合凹部１５（係合バー部１５ａ）との係合で外ケース３に組立てられ、係合の離脱によって下部ケース部３Ａと上部ケース部３Ｂとに分解することができる。尚、フック部１４の付根部には、フック部１４の弾性変形の容易化に役立つ長孔３ｔが形成されている。
【００２８】
下部ケース部３Ａの底壁３ａにおける内奥側（後側壁３ｃ側）には、図４、図５に示すように、内ケース２の係止突片１１に係合する左右に長い略線状の上方突起１２が一体形成されている。つまり、この上方突起１２と内ケース２の係合突片１１とで、板バネ（弾発機構）１０の付勢力に抗して内ケース２を格納状態に係止維持させる係止機構４が構成されている。内ケース２を外ケース３内に押し込みスライド操作すると、帯状部分１１ａが上方に弾性によって撓み変位することで鉤状部１１ｂが上方突起１２に乗り上がり（図７参照）、乗り越えた途端に帯状部分１１ａが弾性によって復元変位することで、鉤状部１１ｂが上方突起１２に引掛り係合する（図５参照）。それにより、板バネ１０の付勢力に抗して内ケース２を収容状態に維持するのである。尚、図３に仮想線で示す左右一対の３ｇは、内ケース２の後リブ２ａに当接して、内ケース２の外ケース３からの最大突出状態（図２の状態）を規定すべく底壁３ａから隆起形成されたストッパーである。
【００２９】
上部ケース部３Ｂには、図２、図４に示すように、内ケース２の隆起部９に対向する湾曲切欠き１５が上壁３ｄの前端部に形成されるとともに、上壁３ｄの後端部から後側壁３ｆとに亘る状態で取出し操作部１３が装備されている。取出し操作部１３は、滑り止めとして外表面がギザギザ状に形成された上面部１３ａと、後縦面部１３ｂと、前縦面部１３ｃと、左右の連結面部１３ｄを有した合成樹脂材製で、側面視形状が略下向き開放コ字状のものに構成され、左右の連結面部１３ｄの前後中間部には、上部ケース部３Ｂに架設形成された軸部１７に外嵌して相対回動自在とするための略下向きＣ字状の軸受溝１８が形成されている。つまり、軸部１７と軸受溝１８とを嵌合させることにより、取出し操作部１３を上部ケース部３Ｂに揺動自在に枢支することができる。
【００３０】
この取出し操作部１３は、係止機構４の係止作用を解除自在であり、解除機構５として機能する。即ち、図５に示すように、係止突片１１が上方突起１２に係合して、内ケース２が外ケース３に収容された状態において、取出し操作部１３を、その後縦面部１３ｂが下がる方向に揺動させると、図６に示すように、縦面部１３ｂの先端が鉤状部１１ｂを上方前方に押して上方突起１２との係合を解く。すると、圧縮変形されている板バネ１０の付勢力により、内ケース２が突出移動され、その前端部が外ケース３から幾分突出して、手指によって内ケース２を掴める状態［図４（ｂ）参照］がもたらされるのである。
【００３１】
この実施例１によるＣＤ収容ケースＡにおいては、板バネ１０の付勢力に抗して作用する係止機構４を設けてあるので、内ケース２を押込む不測の外力が作用するとか、多少のショックが作用したりすることがあっても、内ケース２の収容状態を確実に維持できるので、ＣＤ１を安心して格納でき、信頼性のあるものとなっている。ＣＤ１を取出すべく内ケース２を外ケース３から突出させるには、取出し操作部１３を一本の手指で押すだけの簡単な操作で良く、この点においても操作性に優れた便利なものとなっている。加えて、弾発機構としての板バネ１０を二股状としてあるので、その間（左右間）に係止機構４、並びに解除機構５としての取出し操作部１３を配置することができ、これらの各機構類をコンパクトにまとめて装備できている点も好ましい。さらに、合成樹脂製の板バネ１０は、廉価でありながら耐久性に優れ、繰り返しの使用にも安定したバネ特性が発揮可能となる利点もある。
【００３２】
そして、外ケース３を、下部ケース部３Ａと上部ケース部３Ｂとによる上下２分割構造としてあるので、例えば、図示のように、ＣＤ１が見透かせるよう、上部ケース部３Ｂを透明樹脂で形成し、下部ケース部３Ａを好みの色が施された着色樹脂材料で形成するという具合に、上下で色を使い分けることが自在であり、意匠性にも優れている。
【００３３】
〔別実施形態〕
実施例１による音楽用のＣＤ収容ケースＡにおいて、内ケース２に歌詞カード５０が収容される構造としても良い。例えば、図１５（ａ）、（ｂ）に示すように、内ケース２の裏側における左右端部に、断面形状が略Ｌ字状で、底面部５１ａが内側に向く底面視が半月状の突起５１を２箇所ずつ形成し、ストッパー部５２を形成する。つまり、図１５（ｂ）に示すように、歌詞カード５０を、前後方向の抜き差し操作により、内ケース２の前壁の下部に形成した横長の挿通用切欠き２ｋから、内ケース２の裏側に収容させたり、取出したりが自在に行うことができる。この場合、下部ケース部３Ａを透明等の透視可能な色調にすれば、歌詞カード５０に印刷された意匠を、内ケース２に携帯させた状態においても、外から見えるようにすることができる。また、突起５１を横向き姿勢（図１５に示す姿勢から９０度回転させた姿勢）に形成して、内ケース２の横側方から歌詞カード５０を抜き差しできる構造としても良い。
【００３４】
或いは、図示は省略するが、内ケース２におけるＣＤ１の載置部２Ａを深くして、その上側に平面視が矩形で下方にやや凹入させて段差部を形成し、歌詞カード５０をＣＤ１の上側に載置する構造とすることも可能である。この場合には、上部ケース部３Ｂを透明等の透視可能な色調にすれば、歌詞カード５０に印刷された意匠を外から見える状態にすることができる。また、外ケース３を、内ケース収容部と歌詞カード収容部とを有した２段箱構造として、内ケース２とは別に歌詞カード５０を収容させる構造を採ることも可能である。このとき、外ケース３に、歌詞カード５０を取出すための揺動開閉式の蓋を設けることも勿論可能である。
【実施例２】
【００３５】
実施例２によるＣＤケースＡは、図９、図１０に示すように、機能的には実施例１のものと同様であるが、各部の詳細構造は異なっている。特に、内外のケース２，３の形状、係止機構４、弾発機構１０、及び取出し操作部１３は明確に構造が異なり、主にこれらについて説明する。尚、同じ機能や同じ部品には実施例１によるＣＤ収容ケースＡと同じ符号を付すものとする。
【００３６】
内ケース２は、図１０、図１１（ａ），（ｂ）に示すように、その前部に、収容状態においても外ケース３から突出する外端部２１が形成されており、後部の左右夫々には、内ケースのスライド方向に向く状態の巻きバネ２２が配設されている。これら巻きバネ２２は、内ケース２の底面側に形成された収容凹部２３に収容され、その前端部を垂下壁２４に差し込むことで取り付けられている。つまり、これら左右一対の巻きバネ２２は、内ケース２の後端部２ｔと外ケース３の後壁２６との間に介装されて弾発機構１０を構成している。尚、内ケース２の後端部２ｔの左右中央に形成された円弧状の切欠き２ｋは、内ケース２の格納状態において、後述する取出し操作部１６のノブ部３７との干渉を避けるためのものである。
【００３７】
内ケース２の裏側には、下方に突出したリブ状で左右一対の摺接レール３１が形成されるとともに、これら各摺接レール３１の左右方向で内側で、かつ、後端には、左右一対の係止突起３２が下向き状態で形成されている。この摺接レール３１、及び左右端の端リブ４０は、後述する外ケース３の底壁２７に当接して、抵抗少なく内ケース２を外ケース３に対してスライド移動させるための摺動部Ｓであり、図１４に示すように、傾斜面３２ａを有する係止突起３２は、後述する上向き突起３８と共に係止機構４を構成する。
【００３８】
外ケース３は、図９、図１０、図１２に示すように、左右の側壁２５と後壁２６と、底壁２７とを有した下部ケース部３Ａと、上壁のみから成る矩形板状の上部ケース部３Ｂとを組付けて成るニ分割構造に構成されている。下部ケース部３Ａと上部ケース部３Ｂとは、図１２（ａ）及びその部分詳細平面図Ｘ、及び部分詳細断面図Ｙに示すように、複数の連結部Ｚを用いて組付けられている。即ち、上部ケース部３Ｂの縁には、僅かに外方に突出する係合突起２８が複数箇所に形成されるとともに、左右の側壁２５と後壁２６との上端部には、肉厚を薄くした周段部２９が形成され、かつ、係合突起２８が挿入自在な係合凹部３０が形成されている。従って、各係合突起２８を、対応する係合凹部３０に嵌め入れることにより、上部ケース部３Ｂを周段部２９に、つまりは下部ケース部３Ａに組付けることができる。
【００３９】
底壁２７の後端部には、図１２に示すように、前側にガイド片３３ａを有する中央ガイド筒３３と、その左右夫々に位置する一対の丸ガイド突起３４とが一体形成されるとともに、後壁２６の内側には、左右一対のガイド筋３５（図１３参照）が一体形成されている。これらガイド片３３ａ、左右一対の丸ガイド突起３４、ガイド筋３５により、前後左右に位置決めされてガイドされる状態で上下移動自在に取出し操作部１６が底壁２７に支持され、かつ、中央ガイド筒３３内に装填された巻きバネ４１によって上昇付勢される状態で下部ケース部３Ａに装備されている。
【００４０】
即ち、取出し操作部１６は、左右の脚部３６と、手指で押し操作される箇所であるノブ部３７、丸ガイド突起３４に嵌合する嵌合孔３７ａを有した合成樹脂製の部品であり、各脚部３６には、内ケース２の係止突起３２と係合自在な前述の上向き突起３８が形成されている。上向き突起３８には、係合突起３２との乗り越えをし易くするための傾斜面３８ａ（図１４参照）が形成されている。ノブ部３７は、上部ケース部３Ｂに形成された操作孔３９に、外面がほぼ面一となる状態で嵌合されており、そのノブ部３７を手指によって下方に強制下降移動すれば、上向き突起３８を係合突起３２よりも下方に移動させ、これらの係合を解除、即ち係止機構４を解除することができる。尚、ノブ部３７の左右両端部の外側に連続して形成されたやや高さの低い突起３６ｔは、上部ケース部３Ｂの内面に当接して、ノブ部３７の操作孔３９に対する上昇限界を規定するストッパーとして機能するものである（図１２参照）。
【００４１】
しかして、内ケース２を外ケース３内にスライドさせて押込めば、係止突起３２と係合突起３８とが、それらの傾斜面３２ａ，３８ａが当接することによる分力で、取出し操作部１６が下降移動して、係止突起３２が係合突起３８を乗り越えて係合し、一対の巻きバネ２２が圧縮されることによる突出付勢力に抗して内ケース２が外ケース３に収容された格納状態（図９、図１３参照）に維持される。そして、巻きバネ４１の付勢力に抗して手指でノブ部３７を押して取出し操作部１６を押し下げ操作すれば、図１４に示すように、係止突起３２と係合突起３８との係合状態が解除され（係止機構４が解除され）、圧縮されている一対の巻バネ２２の付勢力により、内ケース２が突出移動され、その前端部である外端部２１が外ケース３から幾分突出して、手指によって内ケース２を十分に掴める状態（図９の仮想線で示す状態や、図１４を参照）がもたらされるのである。
【００４２】
この実施例２によるＣＤ収容ケースＡにおいては、左右一対の巻バネ２２の付勢力に抗して作用する係止機構４を設けてあるので、内ケース２を押込む不測の外力が作用するとか、多少のショックが作用したりすることがあっても、内ケース２の格納状態を確実に維持できるので、ＣＤ１を安心して格納でき、信頼性のあるものとなっている。ＣＤ１を取出すべく内ケース２を外ケース３から突出させるには、取出し操作部１６を一本の手指で押すだけの簡単な操作で良く、この点においても操作性に優れた便利なものとなっている。
【００４３】
加えて、弾発機構６を、一般的な巻バネ２２を左右に振分けて配置する構成としてあるので、廉価であるとともに、それらの間（左右間）に係止機構４、及び解除機構５としての取出し操作部１６を配置することができ、これらの各機構類をコンパクトにまとめて装備できている点も好ましい。更に、内ケース２は、左右の端リブ４０と左右一対の摺接レール３１との４つのレール部分により、外ケース３に対して滑りよく軽快にスライド操作でき、軽い操作力で収納操、並びに引き出しが行える利点もある。
〔別実施形態〕
【００４４】
実施例２のＣＤ収容ケースＡにおいて、図１６に示すように、内ケース２の外ケース３に対するスライド移動がより軽快に行えるよう、内ケース２と外ケース３とがスライドするための摺動部Ｓに転がり軸受６０が介装される構造としても良い。即ち、転がり軸受６０を、外ケース３の底壁２７に隆起形成した球状凹部６１に回転自在に収容されたボール６２の複数で構成する。内ケース２のレール溝６７に当接して転動するボール６２は、より小径なビーズでも良い。また、転がり軸受６０としては、図１７に示すように、底壁２７から立設されたステ―６３に支承されたシャフト６４と、これに回転自在に外嵌された状態で内ケース２のレール部６５に当接して転動する輪体６６とから成る構造のものでも良い。
【００４５】
例えば、ボール６２を受止める球状凹部６１を、外ケース３の前端部と前後中間部に設ける。加えて、この球状凹部６１を内ケース２の後端部の上面部に形成して、上部ケース部３Ｂの内面に当接して転動するボール６２を設ければ、内ケース２を外ケース３に対して大きく引き出して、内ケース２の後端部が上部ケース部３Ｂに強く当接する状態においても、内ケース２のスライド移動が軽く行えるようになる。
【産業上の利用可能性】
【００４６】
以上説明した板状体収容ケースＡは、ＤＶＤ、ＭＤ（ミニディスク）、磁気カード、フロッピィディスク等の板状体を収容して保管するものとして、幅広い用途に適用することができる。
【図面の簡単な説明】
【００４７】
【図１】格納状態にあるＣＤ収容ケースの平面図（実施例１）
【図２】内ケースが引き出された状態のＣＤ収容ケースの平面図（実施例１）
【図３】内ケースの形状を示す底面図
【図４】（ａ）は格納状態を上部ケース部を除いて見た状態を示す平面図、（ｂ）は弾発機構が作動した状態におけるＣＤ収容ケースを示す平面図
【図５】係止機構が係止作動している状態を示す要部の断面側面図
【図６】解除機構によって係止機構が解除された状態を示す要部の断面側面図
【図７】内ケースの挿入操作に伴う係止機構の状態を示す要部の断面側面図
【図８】下部ケース部と上部ケース部との連結構造を示し、（ａ）は分解状態の断面図、（ｂ）は連結状態の断面図
【図９】格納状態にあるＣＤ収容ケースの平面図（実施例２）
【図１０】内ケースが引き出された状態のＣＤ収容ケースの平面図（実施例２）
【図１１】（ａ）は内ケースの平面図、（ｂ）は内ケースの底面図
【図１２】係止機構と解除機構を示し、（ａ）は要部の平面図、（ｂ）は腰部の正面図、又（Ｘ）、（Ｙ）は、夫々上部ケース部と下部ケース部との連結部の構造を示す要部の平面図と断面図
【図１３】係止機構の係止作用を示す要部の断面側面図
【図１４】解除機構によって係止機構が解除された状態を示す要部の断面側面図
【図１５】実施例１によるＣＤ収容ケースにおける、歌詞カードの収容部が付設された内ケースを示し、（ａ）は底面図、（ｂ）は正面図
【図１６】実施例２によるＣＤ収容ケースにおける、内ケースと外ケースの摺動部に転がり軸受を用いた状態を示す要部の断面図
【図１７】図１６における転がり軸受の別構造を示す要部の断面図
【符号の説明】
【００４８】
１          板状体
２          内ケース
３          外ケース
４          係止機構
５          解除機構
６          弾発機構
１０        板バネ
１０ａ      中央部
１０ｂ      両端部
１３，１６  取出し操作部
２２        巻きバネ
６０        転がり軸受
６２        ボール
Ａ          ＣＤ収容ケース（板状体収容ケース）
【図１】
2005219803.tif 000003
【図２】
2005219803.tif 000004
【図３】
2005219803.tif 000005
【図４】
2005219803.tif 000006
【図５】
2005219803.tif 000007
【図６】
2005219803.tif 000008
【図７】
2005219803.tif 000009
【図８】
2005219803.tif 000010
【図９】
2005219803.tif 000011
【図１０】
2005219803.tif 000012
【図１１】
2005219803.tif 000013
【図１２】
2005219803.tif 000014
【図１３】
2005219803.tif 000015
【図１４】
2005219803.tif 000016
【図１５】
2005219803.tif 000017
【図１６】
2005219803.tif 000018
【図１７】
2005219803.tif 000019